(57)【特許請求の範囲】
【請求項１】
貯蔵室に対して前後方向に移動可能である支持部と、
前記支持部により支持される板状の載置板と、
前記載置板の上面に配置され、第１主面と第２主面を有する底面部と、前記底面部の周辺縁部から立設されて前記底面部を囲む側面部と、前記底面部に対向する開口部と、前記底面部の前記第２主面側に取り付けられた把手部と、を有する容器部と、を備え、
前記側面部は、前記底面部から前記第１主面の側に向かって立設された第１側面部と、前記底面部から前記第２主面の側に向かって立設された第２側面部と、を有し、
前記容器部を、前記底面部を下方にして前記載置板に載置することで、前記容器部の内部に被貯蔵物を貯蔵し、
前記容器部を、前記底面部を上方にして前記載置板に載置することで、前記載置板の上面に載置された前記被貯蔵物を、前記容器部で覆い、
前記容器部を、前記底面部を下方にして前記載置板に載置する際には、前記第２側面部が前記載置板に当接することで、前記把手部が前記載置板から離間することを特徴とする収納構造。
【請求項２】
前記載置板は、凹状平坦部と、段差形状を呈するように前記凹状平坦部の周囲に形成された延出部と、を有し、
前記容器部を、前記底面部を下方にして前記載置板に載置する際には、前記第２側面部が前記延出部に当接することで、前記把手部が前記凹状平坦部から離間し、
前記延出部の下方に形成される段差部分に、スライドレールと摺動する部分の前記支持部が配置されることを特徴とする請求項１に記載の収納構造。
【請求項３】
前記容器部の前記底面部よりも小さく形成された金属板を更に備え、
前記金属板は、前記容器部の前記底面部または前記載置板の上面に配置されることを特徴とする請求項１または請求項２に記載の収納構造。
【請求項４】
前記載置板の上面には、前記容器部の位置を規定するための位置決め部が形成され、
前記容器部を、前記底面部を下方にして前記載置板に載置する場合は、前記側面部の前記底面部側の端部が、前記位置決め部に当接し、
前記容器部を、前記底面部を上方にして前記載置板に載置する場合は、前記側面部の前記開口部側の端部が、前記位置決め部に当接することを特徴とする請求項１から請求項３の何れかに記載の収納構造。
【請求項５】
前記容器部の前記側面部は、前記底面部から前記開口部に向かって徐々に広がるように傾斜しており、
前記容器部を、前記底面部を下方にして前記載置板に載置する場合は、前記側面部の前記底面部側の端部が、前記位置決め部に内側から当接し、
前記容器部を、前記底面部を上方にして前記載置板に載置する場合は、前記側面部の前記開口部側の端部が、前記位置決め部に外側から当接することを特徴とする請求項４に記載の収納構造。
【発明の詳細な説明】
【技術分野】
【０００１】
本発明は、貯蔵室内に食品等を冷却保存する収納構造に関し、特に、収納容器および密閉用として用いることができる収納構造に関する。
【背景技術】
【０００２】
従来から、特許文献１に記載された収納構造を備えた冷蔵庫１００が知られている。図６を参照して、冷蔵庫１００は、上段から冷蔵室１０１および冷凍室１０２を備えており、冷蔵室１０１の前面開口は扉１０３で閉鎖され、冷凍室１０２の前面開口は扉１０４で閉鎖されている。また、冷凍室１０２の後方には冷却室１０５が形成され、各貯蔵室に供給される冷気を冷却する冷却器１０６が冷却室１０５に配置されている。
【０００３】
冷蔵庫１００では、冷却器１０６で冷却された冷却室１０５内の冷気が、冷蔵室１０１および冷凍室１０２に供給されることで、各貯蔵室の庫内温度は所定の温度帯域に保たれる。
【先行技術文献】
【特許文献】
【０００４】
【特許文献１】特開２００９−８５５４５号公報
【発明の概要】
【発明が解決しようとする課題】
【０００５】
しかしながら、上記した一般的な冷蔵庫１００の収納構造では、ユーザの利便性の観点から改善の余地があった。
【０００６】
具体的には、図６を参照して、例えばケーキなどの乾燥しやすい食品である被貯蔵物１０７を、その形状を保ちつつ乾燥を防ぐためには、冷蔵室１０１の内部にて、別途用意したカバーで被貯蔵物１０７を被覆することが考えられる。しかしながら、被貯蔵物１０７の形状や大きさに即したカバーを予め用意することは簡単では無く、冷蔵室１０１の内部で被貯蔵物１０７を適切な状態で冷却することは簡単では無かった。
【０００７】
更に、例えばケーキである被貯蔵物１０７は、冷蔵室１０１の内部で収納棚１０８の上面に載置されているが、形状が崩れやすいケーキである被貯蔵物１０７を、その形状を保ちつつ冷蔵室１０１から取り出すことは容易でないことがあった。この対処方法として、例えば、被貯蔵物１０７を収納棚１０８と共に外部に取り出すことが考えられるが、収納棚１０８は冷蔵室１０１の側壁に組み付けられており、収納棚１０８を取り外すことは必ずしも容易ではなかった。
【０００８】
本発明は、上記の事情に鑑みてなされたものであり、その目的とするところは、貯蔵室に収納される被貯蔵物の乾燥を抑止しつつ、容易に取り出すことができる収納構造を提供することにある。
【課題を解決するための手段】
【０００９】
本発明の収納構造では、貯蔵室に対して前後方向に移動可能である支持部と、前記支持部により支持される板状の載置板と、前記載置板の上面に配置され、第１主面と第２主面を有する底面部と、前記底面部の周辺縁部から立設されて前記底面部を囲む側面部と、前記底面部に対向する開口部と、前記底面部の前記第２主面側に取り付けられた把手部と、を有する容器部と、を備え、前記側面部は、前記底面部から前記第１主面の側に向かって立設された第１側面部と、前記底面部から前記第２主面の側に向かって立設された第２側面部と、を有し、前記容器部を、前記底面部を下方にして前記載置板に載置することで、前記容器部の内部に被貯蔵物を貯蔵し、前記容器部を、前記底面部を上方にして前記載置板に載置することで、前記載置板の上面に載置された前記被貯蔵物を、前記容器部で覆い、前記容器部を、前記底面部を下方にして前記載置板に載置する際には、前記第２側面部が前記載置板に当接することで、前記把手部が前記載置板から離間することを特徴とする。
【００１０】
本発明の収納構造では、前記載置板は、凹状平坦部と、段差形状を呈するように前記凹状平坦部の周囲に形成された延出部と、を有し、前記容器部を、前記底面部を下方にして前記載置板に載置する際には、前記第２側面部が前記延出部に当接することで、前記把手部が前記凹状平坦部から離間し、前記延出部の下方に形成される段差部分に、スライドレールと摺動する部分の前記支持部が配置されることを特徴とする。
【００１１】
更に本発明の収納構造は、前記容器部の前記底面部よりも小さく形成された金属板を更に備え、前記金属板は、前記容器部の前記底面部または前記載置板の上面に配置されることを特徴とする。
【００１２】
更に本発明の収納構造は、前記載置板の上面には、前記容器部の位置を規定するための位置決め部が形成され、前記容器部を、前記底面部を下方にして前記載置板に載置する場合は、前記側面部の前記底面部側の端部が、前記位置決め部に当接し、前記容器部を、前記底面部を上方にして前記載置板に載置する場合は、前記側面部の前記開口部側の端部が、前記位置決め部に当接することを特徴とする。
【００１３】
更に本発明の収納構造は、前記容器部の前記側面部は、前記底面部から前記開口部に向かって徐々に広がるように傾斜しており、前記容器部を、前記底面部を下方にして前記載置板に載置する場合は、前記側面部の前記底面部側の端部が、前記位置決め部に内側から当接し、前記容器部を、前記底面部を上方にして前記載置板に載置する場合は、前記側面部の前記開口部側の端部が、前記位置決め部に外側から当接することを特徴とする。
【発明の効果】
【００１４】
本発明の収納構造では、貯蔵室に対して前後方向に移動可能である支持部と、前記支持部により支持される板状の載置板と、前記載置板の上面に配置され、第１主面と第２主面を有する底面部と、前記底面部の周辺縁部から立設されて前記底面部を囲む側面部と、前記底面部に対向する開口部と、前記底面部の前記第２主面側に取り付けられた把手部と、を有する容器部と、を備え、前記側面部は、前記底面部から前記第１主面の側に向かって立設された第１側面部と、前記底面部から前記第２主面の側に向かって立設された第２側面部と、を有し、前記容器部を、前記底面部を下方にして前記載置板に載置することで、前記容器部の内部に被貯蔵物を貯蔵し、前記容器部を、前記底面部を上方にして前記載置板に載置することで、前記載置板の上面に載置された前記被貯蔵物を、前記容器部で覆い、前記容器部を、前記底面部を下方にして前記載置板に載置する際には、前記第２側面部が前記載置板に当接することで、前記把手部が前記載置板から離間することを特徴とする。従って、容器部を、底面部を下方にして載置板に載置することで、その内部に食材等を収納することができる。更に、底面部を上方にして容器部を載置板に載置することで、載置板の上面に載置されたケーキなどの食品を、容器部で密閉することができる。即ち、容器部を反転させることで、収納容器を収納容器および密閉容器として使用することができる。
【００１５】
本発明の収納構造では、前記載置板は、凹状平坦部と、段差形状を呈するように前記凹状平坦部の周囲に形成された延出部と、を有し、前記容器部を、前記底面部を下方にして前記載置板に載置する際には、前記第２側面部が前記延出部に当接することで、前記把手部が前記凹状平坦部から離間し、前記延出部の下方に形成される段差部分に、スライドレールと摺動する部分の前記支持部が配置されることを特徴とする。
【００１６】
更に本発明の収納構造は、前記容器部の前記底面部よりも小さく形成された金属板を更に備え、前記金属板は、前記容器部の前記底面部または前記載置板の上面に配置されることを特徴とする。従って、金属板の上面に食品等の被貯蔵物を載置することで、金属板を熱が伝導して被貯蔵物が冷却されるようになり、被貯蔵物を早期に冷却することが出来る。
【００１７】
更に本発明の収納構造は、前記載置板の上面には、前記容器部の位置を規定するための位置決め部が形成され、前記容器部を、前記底面部を下方にして前記載置板に載置する場合は、前記側面部の前記底面部側の端部が、前記位置決め部に当接し、前記容器部を、前記底面部を上方にして前記載置板に載置する場合は、前記側面部の前記開口部側の端部が、前記位置決め部に当接することを特徴とする。従って、底面部を下方にして容器部を載置する場合でも、底面部を上方にして容器部を載置する場合でも、載置板上に於ける容器部の位置を、位置決め部で規定することができる。
【００１８】
更に本発明の収納構造は、前記容器部の前記側面部は、前記底面部から前記開口部に向かって徐々に広がるように傾斜しており、前記容器部を、前記底面部を下方にして前記載置板に載置する場合は、前記側面部の前記底面部側の端部が、前記位置決め部に内側から当接し、前記容器部を、前記底面部を上方にして前記載置板に載置する場合は、前記側面部の前記開口部側の端部が、前記位置決め部に外側から当接することを特徴とする。従って、底面部を下方にして容器部を載置する場合には、内側から側面部を位置決め部に当接させ、底面部を上方にして容器部を載置する場合には、外側から側面部を位置決め部に当接させる。このことにより、側面部が傾斜している容器部を、反転させて載置板の上面に載置しても、同一の位置決め部を用いて載置板の所定の位置に載置することができる。
【図面の簡単な説明】
【００１９】
【図１】本発明の実施形態に係る収納構造を備えた冷蔵庫を示す側面断面図である。
【図２】本発明の実施形態に係る収納構造を備えた冷蔵庫を示す図であり、可動容器を示す斜視図である。
【図３】本発明の実施形態に係る収納構造を備えた冷蔵庫を示す図であり、可動容器を示す分解斜視図である。
【図４】本発明の実施形態に係る収納構造を備えた冷蔵庫を示す図であり、（Ａ）は容器部を収納容器として用いる場合を示す断面図であり、（Ｂ）はその分解断面図である。
【図５】本発明の実施形態に係る収納構造を備えた冷蔵庫を示す図であり、（Ａ）は容器部を密閉容器として用いる場合を示す断面図であり、（Ｂ）はその分解断面図である。
【図６】背景技術に係る冷蔵庫を示す側面断面図である。
【発明を実施するための形態】
【００２０】
以下、本発明の実施形態に係る収納構造を備えた冷蔵庫１０を図面に基づき詳細に説明する。以下の説明では、上下前後左右の各方向を適宜用いるが、左右とは冷蔵庫１０を前方から見た場合の左右を示す。
【００２１】
図１は、本発明の実施形態に係る冷蔵庫１０の概略構造を示す斜視図である。
【００２２】
冷蔵庫１０は、冷蔵庫本体１１を備え、この冷蔵庫本体１１の内部に食品等を貯蔵する複数の貯蔵室が形成されている。この貯蔵室として、上段から、冷凍室１２および冷蔵室１３が形成されている。
【００２３】
冷蔵庫本体１１の前面は開口しており、各貯蔵室に対応した開口は、各々扉１４等で閉鎖されている。具体的には、上段から、冷凍室１２の開口は扉１４で閉鎖され、冷蔵室１３の開口は扉１５で閉鎖されている。
【００２４】
扉１４は、冷凍室１２の開口を前方から閉鎖し、例えば、右端の上下端部が回転自在に冷蔵庫本体１１により支持されている。同様に、扉１５も、右端の上下端部が回転自在に冷蔵庫本体１１により支持されている。
【００２５】
上段の冷凍室１２の奥側には冷却室２１が区画形成され、その冷却室２１の内部には冷却器２０が配設される。冷却器２０で冷却された冷却室２１内部の冷気が、図示しない送風機で冷凍室１２および冷蔵室１３に送風されることで、冷凍室１２および冷蔵室１３は所定の温度帯域に冷却される。
【００２６】
冷凍室１２には板状の収納棚３３が配置され、収納棚３３の上面には図示しない食品等の被貯蔵物が載置される。収納棚３３は、使用状況下にて収納棚３３が冷蔵庫本体１１から容易に外れないように、冷凍室１２の内壁側面に組み付けられている。従って、収納棚３３は、単に前方に引き出されるだけでは取り外すことはできない。収納棚３３を冷蔵庫本体１１から取り外すためには、例えば、収納棚３３の前端部を一旦上方に持ち上げてから、収納棚３３を前方に引き出す。このような組み付け構造は、冷蔵室１３に配置される収納棚３４に関しても同様である。
【００２７】
冷蔵室１３の内部にも、上記と同様に、収納棚３４が配置されている。また、冷蔵室１３の最下段には、野菜等を収納するために収納容器３７が配置されている。
【００２８】
本形態の冷蔵庫１０では、例えばケーキなどの、乾燥しやすく且つ形状が崩れやすい被貯蔵物１９を取出可能に収納するための収納構造を有している。具体的には、この収納構造として、冷蔵室１３の内壁に対して摺動可能に取り付けられた支持部１６と、この支持部１６により支えられる載置板１７および容器部１８から成る可動容器２４が、備えられている。また、冷蔵室１３の側壁にはスライドレール３８が形成されており、このスライドレール３８に支持部１６は引き出し可能な状態で載置されている。
【００２９】
支持部１６は枠状に形成された部材であり、冷蔵室１３の内壁に対して、前後方向に引き出し可能に組み付けられている。載置板１７は、この支持部１６の上面に載置される板状の部材であり、その上面には被貯蔵物１９が載置される。
【００３０】
容器部１８は、例えば透明樹脂から成る容器であり、ここでは被貯蔵物１９を密閉するように、その開口を下面にして、載置板１７の上面に載置されている。このように、被貯蔵物１９を容器部１８で密閉することで、例えばケーキである被貯蔵物１９が冷蔵室１３の内部で乾燥してしまうことを防止することができる。また、容易には変形しない樹脂成形品である容器部１８で被貯蔵物１９を覆うことで、貯蔵中や取出中に被貯蔵物１９が変形してしまうことが防止される。後述するように、容器部１８は、上下反転して載置板１７に載置することで、被貯蔵物１９が収納される収納容器として用いることができる。
【００３１】
上記構成により、ユーザは、被貯蔵物１９を密閉した状態で、可動容器２４を冷蔵室１３から容易に取り出すことができる。具体的には、ユーザは、冷蔵室１３を閉鎖する扉１５を開き、支持部１６を前方に向かって引き出す。そのようにすると、支持部１６の上面に載置された可動容器２４も同時に前方に引き出される。次に、ユーザは、被貯蔵物１９が収納された状態の可動容器２４を、支持部１６から分離して取り出し、食卓まで運ぶことができる。
【００３２】
一般的に、被貯蔵物１９が、ケーキなどの崩れやすい食品であった場合、冷蔵庫１０から食卓に運ぶまでの間に、その形状が崩れる恐れがある。本形態の可動容器２４は、被貯蔵物１９を内蔵した状態のまま、冷蔵室１３から取り出すことができるため、ユーザが接触せずに被貯蔵物１９を運ぶことができる。従って、例えばケーキである被貯蔵物１９を、その形状を崩すこと無く食卓まで運ぶことが可能となる。
【００３３】
図２を参照して、上記した可動容器２４の構成を説明する。この図に示すように、載置板１７および容器部１８から成る可動容器２４は、支持部１６の上面に載置されている。このように、可動容器２４と支持部１６とは一体化した状態であり、ユーザが支持部１６を前方に向かって引き出すと、この状態で可動容器２４も同時に前方に引き出される。また、支持部１６の左側面および右側面を内側に窪ませてレール部３５が形成されている。このレール部３５が、図１に示す冷蔵室１３の側壁に形成されたスライドレール３８に当接することで、支持部１６が前後方向に対して移動可能な状態で支持されている。また、容器部１８の上面には、部分的に上方に突出する把手部２５が形成されている。把手部２５は、容器部１８を操作するユーザが把持する部位である。
【００３４】
図３の分解斜視図を参照して、上記した可動容器２４の構成を詳述する。
【００３５】
支持部１６は、可動容器２４を下方から支持する合成樹脂から成る枠状の部材である。支持部１６の前方側辺部分を下方に向かって窪ませて把手部２６が形成されている。把手部２６の上面は、前方に向かって下方に傾斜する傾斜面である。ユーザは、把手部２６に手を掛けて、可動容器２４全体を前方に向かって引き出すことができる。
【００３６】
また、支持部１６の左右方向に於ける外側側面には、上方に向かって内側に傾斜する傾斜面３９が形成されている。ユーザは、傾斜面３９と可動容器２４との隙間から指を差し入れて、載置板１７の延出部２９を持ち、可動容器２４を取り外すことができる。また、ユーザは、可動容器２４の前方部分を持って、可動容器２４を支持部１６から取り外すこともできる。
【００３７】
可動容器２４は、載置板１７と、載置板１７の上面に載置される金属板２７と、載置板１７を上方から塞ぐ容器部１８と、から構成されている。上記したように、可動容器２４は、被貯蔵物１９が収納された状態で、支持部１６から取り外すことができる。
【００３８】
載置板１７は、合成樹脂を略板状に成形した部材であり、その中央部付近を下方に向かって平坦に窪ませて凹状平坦部２８が形成されている。凹状平坦部２８の外面の前後方向に於ける長さＬ１３および左右方向に於ける長さＬ１２は、上記した支持部１６の内壁の前後方向に於ける長さＬ１０および左右方向に於ける長さＬ１１よりも、短くされている。このようにすることで、載置板１７の下方に突出する凹状平坦部２８を、支持部１６に収納させることができる。
【００３９】
また、載置板１７の外周部には、周囲に向かって鍔状に延出する延出部２９が形成されている。載置板１７を支持部１６に上方から組み付けると、載置板１７の延出部２９の下面が、支持部１６の上面に当接する。
【００４０】
延出部２９の上面には、上記した容器部１８を位置決めするための位置決め部３０が形成されている。図面では、位置決め部３０を点線で示している。ここでは、載置板１７の上面を上方に向かって枠状に突出させることで、位置決め部３０が形成されている。位置決め部３０が枠状に形成されることで、容器部１８の側面部３１が全面的に位置決め部３０に当接するので、載置板１７上に於ける容器部１８の位置をより正確に規定することが出来る。位置決め部３０の形状は、連続した枠形状以外の形状も採用可能であり、例えば、延出部２９の四隅に離散的に位置決め部３０が形成されても良い。
【００４１】
載置板１７の凹状平坦部２８の上面には、例えばアルミニウム等の金属から成る金属板２７が載置される。金属板２７の前後方向の長さＬ１６および左右方向の長さＬ１７は、凹状平坦部２８の前後方向の長さＬ１４および左右方向の長さＬ１５よりも短い。上記した被貯蔵物１９は、金属板２７の上面に載置される。このようにすることで、金属板２７を経由して、被貯蔵物１９が放熱されるので、被貯蔵物１９を早期に冷却することができる。また、金属板２７は、容器部１８の底面部３２よりも小さく形成されている。
【００４２】
容器部１８は、下方に開口部３６を有する箱形状に成型された透明合成樹脂から成り、後述するように、被貯蔵物１９の収納または密閉に用いることができる。具体的には、容器部１８は、略四角形状の底面部３２と、底面部３２の側辺から下方に向かって立設された側面部３１と、を有する。側面部３１は、その大部分が底面部３２の外周縁部から下方に向かって立設されていると共に、その一部分は上方にも向かって立設されている。換言すると、底面部３２の外周縁部は、側面部３１の中間部分と連続している。側面部３１は、下方に向かって幅が広がる傾斜形状とされている。容器部１８を載置板１７の上面に載置すると、側面部３１の下端が、載置板１７の延出部２９の上面に当接する。ここでは、容器部１８を、底面部３２を上方にして載置板１７に載置することで、容器部１８を密閉容器として用いる場合を示している。本形態では、後述するように、底面部３２を下方にして載置板１７の上面に載置することで、容器部１８の内部に被貯蔵物１９を収納することもできる。また、底面部３２の上面には、ユーザが把持可能な形状の把手部２５が接着されている。
【００４３】
次に、図４および図５を参照して、上記した容器部１８が載置される構造を説明する。図４は、容器部１８が底面部３２を下方にして載置されることで収納容器として用いられる場合を示している。図５は、容器部１８が底面部３２を上方にして載置されることで密閉容器として用いられる場合を示している。図４および図５に示す各断面図は、図２に示したＡ−Ａ断面に対応している。
【００４４】
図４を参照して、底面部３２を下方にした容器部１８を収納容器として用いる場合を説明する。図４（Ａ）は、容器部１８が載置板１７の上面に載置される構造を示し、図４（Ｂ）は、容器部１８を上方に離した状態を示している。
【００４５】
図４（Ａ）を参照して、容器部１８は、底面部３２を下方にして、載置板１７の上面に載置されている。この場合、側面部３１の底面部３２側の下端が、載置板１７の延出部２９の上面に当接している。このようにすることで、ユーザは、容器部１８の内部に、食品等の被貯蔵物１９を収納することができる。この場合には、金属板２７は、容器部１８の底面部３２の上面に配置され、被貯蔵物１９は、金属板２７の上面に配置される。また、支持部１６は、冷蔵庫本体の側壁４０に取り付けられたスライドレール３８に対して、引き出し可能に載置されている。
【００４６】
図４（Ｂ）に示すように、載置板１７の延出部２９の上面には位置決め部３０が形成される。また、容器部１８の側面部３１は、成形時に於ける金型からの離型性を考慮して、開口部３６に向かって広がる傾斜形状とされている。このことから、下端側に於ける側面部３１同士の幅Ｌ１８は、位置決め部３０同士の距離Ｌ１９よりも短くされている。
【００４７】
従って、図４（Ａ）に示すように、容器部１８の側面部３１の下端は、位置決め部３０よりも内側の領域にて、延出部２９の上面に当接している。よって、容器部１８の側面部３１の下端は、位置決め部３０に対して内側から当接するように成る。これにより、載置板１７の上面に於ける容器部１８の位置が規定される。
【００４８】
図５を参照して、底面部３２を上方にした容器部１８を密閉容器として用いる場合を説明する。図５（Ａ）は、密閉容器として使用される容器部１８が載置板１７の上面に載置される構造を示し、図４（Ｂ）は、この状態の容器部１８を上方に離した状態を示している。
【００４９】
図５（Ａ）を参照して、容器部１８は、底面部３２を上方にして、載置板１７の上面に載置されている。容器部１８を、図４（Ａ）に示す収納容器として使用される状態から、この図に示す密閉容器として使用される状態にするためには、先ず、一時的に容器部１８を取り外す。次に、金属板２７の上面に例えばケーキである被貯蔵物１９を載置する。更に、容器部１８を１８０度回転させることで、底面部３２が上方側となるようにする。最後に、容器部１８を載置板１７の上面に載置することで、載置板１７の上面に於かれた被貯蔵物１９を、容器部１８で密閉する。この状態では、側面部３１の開口部３６側の下端が、載置板１７の延出部２９の上面に当接している。また、金属板２７は、容器部１８から取り出され、載置板１７の凹状平坦部２８の上面に配置される。
【００５０】
図５（Ｂ）を参照して、容器部１８の側面部は、開口部３６に向かって広がる傾斜形状とされている。このことから、下端側に於ける側面部３１同士の幅Ｌ２０は、位置決め部３０同士の距離Ｌ１９よりも長くされている。
【００５１】
従って、図５（Ａ）に示すように、容器部１８の側面部３１の下端は、位置決め部３０よりも外側の領域にて、延出部２９の上面に当接している。よって、容器部１８の側面部３１の下端は、位置決め部３０に対して外側から当接するように成る。これにより、載置板１７の上面に於ける容器部１８の位置が規定される。
【００５２】
また、上記のように、載置板１７の上面に一つの位置決め部３０を形成し、容器部１８を収納容器として用いる場合は、側面部３１を内側から位置決め部３０に当接させている。一方、容器部１８を密閉容器として用いる場合は、側面部３１を外側から位置決め部３０に当接させている。このようにすることで、容器部１８が収納容器として用いられる場合でも、密閉容器として用いられる場合でも、同一の位置決め部３０で容器部１８の位置を規定することができる。よって、載置板１７の上面の形状を簡素化することができる。
【００５３】
ここで、上記では、側面部３１と位置決め部３０との左右方向に於ける距離の大小関係を説明したが、この関係は前後方向に関しても同様である。
【００５４】
本発明は、上記実施形態に限定されるものではなく、その他、本発明の要旨を逸脱しない範囲で、種々の変更実施が可能である。
【符号の説明】
【００５５】
１０   冷蔵庫
１１   冷蔵庫本体
１２   冷凍室
１３   冷蔵室
１４   扉
１５   扉
１６   支持部
１７   載置板
１８   容器部
１９   被貯蔵物
２０   冷却器
２１   冷却室
２４   可動容器
２５   把手部
２６   把手部
２７   金属板
２８   凹状平坦部
２９   延出部
３０   位置決め部
３１   側面部
３２   底面部
３３   収納棚
３４   収納棚
３５   レール部
３６   開口部
３７   収納容器
３８   スライドレール
３９   傾斜面
４０   側壁
１００ 冷蔵庫
１０１ 冷蔵室
１０２ 冷凍室
１０３ 扉
１０４ 扉
１０５ 冷却室
１０６ 冷却器
１０７ 被貯蔵物
１０８ 収納棚
【図１】
0006766299.tif 000002
【図２】
0006766299.tif 000003
【図３】
0006766299.tif 000004
【図４】
0006766299.tif 000005
【図５】
0006766299.tif 000006
【図６】
0006766299.tif 000007